(57)【要約】【課題】外部電源が確保できない状況でも、携帯電話機で再生した音楽を、外部スピーカから聞くことができる外部スピーカ利用システムを提供する。【解決手段】充電器ホルダ１３は、ＤＣアダプタケーブル１７又はＡＣアダプタケーブル１８を用いて入力される外部電源を用いて、携帯電話機１１内のバッテリを充電する。携帯電話機１１は、音楽再生機能を有する。充電器ホルダ１３は、ＦＭトランスミッタ１４を有し、イヤホンジャックケーブル１６を介して携帯電話機１１から入力する音楽信号を、ＦＭ波に変調して出力する。携帯電話機１１は、充電器ホルダ１３から電圧の供給を受けているか否かを判断し、受けていないときには、バッテリの電圧を、充電器ホルダ１３に出力し、充電器ホルダ１３のＦＭトランスミッタ１４は、携帯電話機１１のバッテリから電源供給を受けて動作する。【選択図】図１
2008118455.tif 000002
【特許請求の範囲】
【請求項１】
バッテリを充電するための充電端子と、該充電端子に供給される電源を用いて動作し、入力された音声／音楽信号を外部スピーカに接続された外部機器に無線出力する無線送信部とを備える充電器ホルダと、
音声／音楽信号を出力する出力端子と、前記充電端子の電圧を検出し、前記充電端子に外部電源から電源供給されているときはバッテリを充電するパスを選択し、前記充電端子に外部電源から電源供給されていないときには、前記充電端子に、前記バッテリから電源供給を行うパスを選択する切替えスイッチとを備える携帯端末装置とを有することを特徴とする外部スピーカ利用システム。
【請求項２】
前記無線送信部が、ＦＭ変調を行いＦＭ波を出力するＦＭトランスミッタとして構成される、請求項１に記載の外部スピーカ利用システム。
【請求項３】
前記ＦＭ波の出力レベルを制御する出力レベル調整部を更に有する、請求項２に記載の外部スピーカ利用システム。
【請求項４】
前記無線送信部が、前記外部機器とBluetooth通信を行うBluetooth通信部として構成される、請求項１に記載の外部スピーカ利用システム。
【請求項５】
前記携帯端末装置が、音楽再生機能を備えており、前記出力端子から前記音楽再生機能によって再生された音楽信号を出力する、請求項１〜４の何れか一に記載の外部スピーカ利用システム。
【請求項６】
前記携帯端末装置が携帯電話機として構成される、請求項１〜５の何れか一に記載の外部スピーカ利用システム。
【請求項７】
前記出力端子から、携帯電話通話における相手方音声を出力するする、請求項６に記載の外部スピーカ利用システム。
【発明の詳細な説明】
【技術分野】
【０００１】
本発明は、外部スピーカ利用システムに関し、更に詳しくは、携帯端末装置で再生される音声・音楽等を、携帯端末装置外の外部装置のスピーカを利用して出力することができる外部スピーカ利用システムに関する。
【背景技術】
【０００２】
音楽再生機能を有する携帯型装置が普及している。通常、携帯型音楽再生装置は、ヘッドフォンなどを用いて音楽を聞くことを想定しており、スピーカを備えていないことが多い。また、音楽再生機能つきの携帯電話機（ＰＨＳなどを含む）では、本体内蔵のスピーカを用いて音楽を再生することができるが、携帯電話機のスピーカは小型で、高音質を得るには限界があった。従って、携帯型音楽再生装置で、ヘッドフォンなどを用いずに、高音質で音楽を聞くためには、外部スピーカを用いて音楽を再生する必要がある。
【０００３】
外部スピーカを用いて音楽を再生する方法としては、携帯型音楽再生装置にＦＭトランスミッタなどの送信手段をつなぎ、ＦＭラジオ受信機などでこれを受信し、ＦＭラジオ受信機のスピーカを用いて音楽を再生する方法がある。ＦＭトランスミッタを用いるにあたり、ＦＭトランスミッタを携帯型音楽再生装置に内蔵させると、回路ブロックの追加によって実装面積が増大することになる。携帯型音楽再生装置には、小型化が求められており、通常、ＦＭトランスミッタは、携帯型音楽再生装置に外付けされる。
【０００４】
ＦＭトランスミッタを用いた携帯電話機の音楽再生については、特許文献１に記載された技術がある。特許文献１では、ＦＭトランスミッタと充電部とを備えた送信・電源装置を用い、この送信・電源装置に、携帯電話機を接続する。送信・電源装置は、携帯電話機の充電を行いつつ、携帯電話機のヘッドフォン端子などから入力した音楽信号をＦＭトランスミッタにてＦＭ信号に変換して出力する。このＦＭ信号を、車載のＦＭラジオなどで受信し再生する。
【特許文献１】実用新案登録第３１１１６０６号公報
【発明の開示】
【発明が解決しようとする課題】
【０００５】
特許文献１では、送信・電源装置を用いて、携帯型音楽再生装置の充電を行いつつ、ＦＭラジオ受信機に接続された外部スピーカから音楽を聞くことができる。しかしながら、この送信・電源装置を用いて外部スピーカら音楽を聞くためには、送信・電源装置に、ＡＣアダプタやＤＣアダプタなどの外部電源からの電源線を接続する必要があり、ケーブル引き回しなどにより、利便性が悪いという問題がある。また、外部電源を確保できない場合には、ＦＭトランスミッタを動作させることができず、外部スピーカから音楽を聞くことができないという問題もある。
【０００６】
本発明は、上記従来技術の問題点を解消し、利便性を向上し、外部電源が確保できない状況下でも、外部装置のスピーカを用いて音声／音楽を聞くことができる外部スピーカ利用システムを提供する。
【課題を解決するための手段】
【０００７】
上記目的を達成するために、本発明の外部スピーカ利用システムは、バッテリを充電するための充電端子と、該充電端子に供給される電源を用いて動作し、入力された音声／音楽信号を外部スピーカに接続された外部機器に無線出力する無線送信部とを備える充電器ホルダと、音声／音楽信号を出力する出力端子と、前記充電端子の電圧を検出し、前記充電端子に外部電源から電源供給されているときはバッテリを充電するパスを選択し、前記充電端子に外部電源から電源供給されていないときには、前記充電端子に、前記バッテリから電源供給を行うパスを選択する切替えスイッチとを備える携帯端末装置とを有することを特徴とする。
【０００８】
本発明の外部スピーカ利用システムでは、携帯端末装置を充電する際に用いる充電器ホルダは、無線送信部を有しており、携帯端末装置から入力された音声／音楽信号を、外部機器に無線送信する。外部機器が有するスピーカ、或いは、外部機器に接続されたスピーカから音声／音楽信号を出力することで、携帯端末装置で再生される音声／音楽信号を、携帯端末装置外のスピーカで聞くことができる。携帯端末装置は、充電器ホルダの充電端子に充電用の電源が供給されていないことを検出すると、スイッチを切り替え、携帯端末装置のバッテリ側から充電器ホルダの充電端子に電圧を供給し、無線送信部に電源を供給する。このようにすることで、携帯端末装置を充電するための外部電源が確保できない状況でも、携帯端末装置外のスピーカを用いて、携帯端末装置で再生される音声／音楽を聞くことができる。また、この場合には、充電器ホルダに外部電源からの電源を供給するケーブル接続しないので、配線周りをすっきりさせることができる。
【０００９】
本発明の外部スピーカ利用システムでは、前記無線送信部が、ＦＭ変調を行いＦＭ波を出力するＦＭトランスミッタとして構成される構成を採用できる。この場合、外部機器として、ＦＭラジオを受信する機能を有するオーディオ装置を用いて、携帯端末装置で再生される音声／音楽を聞くことができる。
【００１０】
本発明の外部スピーカ利用システムでは、前記ＦＭ波の出力レベルを制御する出力レベル調整部を更に有する構成を採用できる。この場合、出力レベル調整部により、ＦＭ波の出力レベルを調整することで、外部スピーカから再生される音量を、所望の音量に調整できる。
【００１１】
本発明の外部スピーカ利用システムでは、前記無線送信部が、前記外部機器とBluetooth通信を行うBluetooth通信部として構成される構成を採用することができる。無線通信の手段としては、このような通信手段を採用することもできる。
【００１２】
本発明の外部スピーカ利用システムでは、前記携帯端末装置が、音楽再生機能を備えており、前記出力端子から前記音楽再生機能によって再生された音楽信号を出力する構成を採用できる。この場合、高品位な音楽再生が可能な外部機器を用いることで、携帯端末装置で再生される音楽を、高品位に楽しむことができる。
【００１３】
本発明の外部スピーカ利用システムでは、前記携帯端末装置が携帯電話機として構成される構成を採用できる。携帯電話機では、機能の多機能化が進んでおり、音楽再生機能が搭載されることも珍しくないが、携帯電話機のスピーカは、音楽再生に対しては貧弱であることが多い。本発明では、例えば携帯電話機で再生される音楽を充電器ホルダの無線送信部から外部機器に送信することで、ユーザは、より高品位な外部機器のスピーカを用いて音楽を聞くことができる。
【００１４】
本発明の外部スピーカ利用システムでは、前記出力端子から、携帯電話通話における相手方音声を出力する構成を採用することができる。携帯電話機では、携帯電話通話における相手方の音声を、携帯電話機内臓のレシーバから出力するが、レシーバは小型であり、大きな音量を出力するのに適していないため、耳の遠い人にとっては聞きづらいことが多い。相手方音声を無線送信部を用いて外部機器に送信し、外部機器のスピーカから相手方音声を出力させる場合には、相手方音声を大きな音量で再生させることができ、耳の遠い人に対して、相手方音声を聞き取りやすくことができる。
【発明の効果】
【００１５】
本発明の外部スピーカ利用システムでは、携帯端末装置を充電する際に用いる充電器ホルダは、無線送信部を有しており、携帯端末装置から入力された音声／音楽信号を、外部機器に無線送信する。携帯端末装置は、充電器ホルダの充電端子に充電用の電源が供給されていないことを検出すると、スイッチを切り替え、携帯端末装置のバッテリ側から充電器ホルダの充電端子に電圧を供給し、無線送信部に電源を供給する。このようにすることで、携帯端末装置を充電するための外部電源が確保できない状況でも、携帯端末装置外のスピーカを用いて、携帯端末装置で再生される音声／音楽を聞くことができる。
【発明を実施するための最良の形態】
【００１６】
以下、図面を参照し、本発明の実施の形態を詳細に説明する。図１は、本発明の一実施形態の外部スピーカ利用システム（音楽再生システム）の構成を示している。音楽再生システム１００は、携帯電話機１１と、充電器ホルダ１３とを有する。携帯電話機１１は、音楽再生機能を有する。また、携帯電話機１１は、音声外部出力用のイヤホンジャック１２を有する。ＦＭラジオ受信機５０は、ＦＭラジオを受信・再生し、スピーカ５１から再生信号を出力する。スピーカ５１は、ＦＭラジオ受信機５０に外付けされたスピーカであってもよく、また、ＦＭラジオ受信機５０に内蔵されたスピーカであってもよい。
【００１７】
充電器ホルダ１３は、ＦＭトランスミッタ１４と、ＦＭ出力レベルコントローラ１５と、イヤホンジャックケーブル１６と、図１では図示しない電源接続用Ｉ／Ｏとを有する。充電器ホルダ１３は、携帯電話機１１を保持する。イヤホンジャックケーブル１６は、携帯電話機１１のイヤホンジャック１２に接続される。ＦＭトランスミッタ１４は、イヤホンジャックケーブル１６から入力される音楽信号を、ＦＭ変調により、所定周波数のＦＭ波で出力する。ＦＭ出力レベルコントローラ１５は、ＦＭトランスミッタ１４より出力する電波のパワーレベルを制御する。
【００１８】
図２は、充電器ホルダ１３の背面側の外観を示している。電源接続用Ｉ／Ｏ１９には、電源接続用コネクタ２０を介して、ＤＣアダプタケーブル１７、又は、ＡＣアダプタケーブル１８が接続される。ＤＣアダプタケーブル１７は、車載シガーソケットと充電器ホルダ１３とを接続するためのケーブルである。ＡＣアダプタケーブル１８は、ＡＣ電源と充電器ホルダ１３とを接続するためのケーブルである。ＤＣアダプタケーブル１７及びＡＣアダプタケーブル１８は、携帯電話機１１の充電に適した電圧を充電器ホルダ１３に供給する。充電器ホルダ１３は、ＤＣアダプタケーブル１７又はＡＣアダプタケーブル１８によって供給された電源を用いて、携帯電話機１１の充電を行う。
【００１９】
図３に、ＦＭラジオ受信機の具体例を示す。この例では、車載のＦＭラジオ内臓カーステレオ５５を、ＦＭラジオ受信機５０（図１）として用いる。この場合には、図示しない車載スピーカが、図１におけるスピーカ５１（外部スピーカ）となる。図４に、ＦＭラジオ受信機の別の具体例を示す。この例では、ＦＭラジオ内蔵ステレオコンポ５６を、ＦＭラジオ受信機５０（図１）として用いる。この場合、ステレオコンポ５６のスピーカが、外部スピーカ５１となる。ＦＭラジオ受信機５０は、典型的には、これらのステレオシステムとして構成される。
【００２０】
図５は、充電器ホルダ１３の内部構成を示している。携帯電話機１１（図１）を充電する基本部分は、電源接続用Ｉ／Ｏ１９と、充電端子（＋）２９と、充電端子（−）２８とから構成される。ＦＭトランスミッタ１４は、ＦＭトランスミッタ用電源部２４、ＦＭ変調部２５、可変アンプ２６、及び、ＦＭアンテナ２７を有する。ＦＭトランスミッタ用電源部２４は、電源接続用Ｉ／Ｏ１９と充電端子２９とに接続され、ＦＭトランスミッタの電源部として機能する。
【００２１】
ＦＭ変調部２５は、イヤホンジャックケーブル１６を介して、携帯電話機１１から入力される音楽信号をＦＭ変調する。可変アンプ２６は、ＦＭ変調部２５によってＦＭ変調された音楽信号を増幅して出力する。可変アンプ２６のゲインは、ＦＭ出力レベルコントローラ１５によって制御される。ＦＭアンテナ２７は、充電器ホルダ１３に内蔵のアンテナであり、可変アンプ２６にて増幅された音楽信号を、ＦＭ波として出力する。
【００２２】
図６は、携帯電話機の内部構成を示している。携帯電話機１１は、基本構成部分と、音楽再生機能部分と、充電に関する部分とに大別される。携帯電話機１１は、基本構成として、演算処理を行うＣＰＵ３１、情報を記憶するメモリ３２、キー入力を行うキーマトリックス入力部３３、動作表示を行うＬＣＤ表示部３４、通話における音声を入力するマイク３９、相手側音声を出力するレシーバ３８、音声情報を元にベースバンド信号を生成するベースバンド部３０、ベースバンド信号を元にＲＦ信号を生成する無線部４５、及び、ＲＦ信号を電波として出力するアンテナ４６を備える。
【００２３】
携帯電話機１１は、音楽再生機能に関する構成として、音楽データを格納する音楽データメモリ部３５、音楽データをアナログ信号としてデコードする音楽データデコーダ部３６、音響出力するスピーカ４０、及び、音楽信号を増幅するアンプ３７を備える。イヤホンジャック１２は、アンプ３７に接続される。また、携帯電話機１１は、充電に関するブロックとして、充電端子（−）４３、充電端子（＋）４４、充電回路４１、及び、切替えスイッチ２３を有する。充電端子４３、４４は、それぞれ、充電器ホルダ１３の充電端子２８、２９に接触する。充電回路４１は、バッテリ４２への充電電流を制御する。切替えスイッチ２３は、充電端子４４の電圧を検知して、バッテリ４２への充電と、バッテリ４２から充電端子４４への電源供給とを切り替える。
【００２４】
音楽再生システム１００を用いて、外部スピーカから音楽を聞く手順を説明する。図７は、ＡＣアダプタを利用した場合の手順を示している。ここでは、ＦＭラジオ受信機５０として、ＦＭラジオ内蔵ステレオコンポ５６（図４）を用いるものとする。携帯電話機１１を充電器ホルダ１３にセットする（ステップＡ１）。ＡＣアダプタ（ＡＣコンセント）からの充電を行うために、充電器ホルダ１３の電源接続用Ｉ／Ｏ１９にＡＣアダプタケーブル１８を接続し（ステップＡ２）、ＡＣアダプタケーブル１８をＡＣコンセントに接続する（ステップＡ３）。これにより、充電器ホルダ１３の充電端子２９及びＦＭトランスミッタ用電源部２４（図５）には、電源接続用Ｉ／Ｏ１９を介して、電源が供給される。
【００２５】
携帯電話機１１の充電端子４４には、ＡＣアダプタケーブル１８、充電器ホルダ１３を介して、充電電圧が供給される。切替えスイッチ２３は、充電端子４４に電圧が供給されていることを検出して、充電回路４１側を選択する。これにより、バッテリ４２への充電が開始される（ステップＡ４）。充電器ホルダ１３のイヤホンジャックケーブル１６を、携帯電話機１１のイヤホンジャック１２に接続する（ステップＡ５）。その後、携帯電話機１１を操作して音楽再生機能を働かせ、音楽再生を開始する（ステップＡ６）。
【００２６】
イヤホンジャック１２から出力された音楽信号は、イヤホンジャックケーブル１６を介してＦＭトランスミッタ１４内のＦＭ変調部２５に入力され、ＦＭ変調された後に可変アンプ２６にて増幅され、ＦＭアンテナ２７よりＦＭ波として出力される（ステップＡ７）。ＦＭラジオ内蔵ステレオコンポ５６を操作し、周波数をＦＭトランスミッタ１４の出力周波数に合わせ、スピーカより音楽を出力させる（ステップＡ８）。ＦＭラジオ側の受信レベルが不足している場合には、ＦＭ出力レベルコントローラ１５を調整し、ＦＭ波の強度を適切なレベルにセットする（ステップＡ９）。
【００２７】
次に、ＤＣアダプタを用いた際の手順について説明する。図８に手順を示す。ここでは、ＦＭラジオ受信機５０として、ＦＭラジオ内蔵カーステレオ５５を用いるものとする。携帯電話機１１を充電器ホルダ１３にセットする（ステップＢ１）。車載ＤＣソケットからの充電を行うために、充電器ホルダ１３の電源接続用Ｉ／Ｏ１９にＤＣアダプタケーブル１７を接続し（ステップＢ２）、ＤＣアダプタケーブル１７を車載ＤＣソケットに接続する（ステップＢ３）。これにより、充電器ホルダ１３の充電端子２９及びＦＭトランスミッタ用電源部２４には、電源接続用Ｉ／Ｏ１９を介して、電源が供給される。
【００２８】
携帯電話機１１の充電端子４４には、ＤＣアダプタケーブル１７、充電器ホルダ１３を介して、充電電圧が供給される。切替えスイッチ２３は、充電端子４４に電圧が供給されていることを検出して、充電回路４１側を選択する。これにより、バッテリ４２への充電が開始される（ステップＢ４）。充電器ホルダ１３のイヤホンジャックケーブル１６を、携帯電話機１１のイヤホンジャック１２に接続する（ステップＢ５）。その後、携帯電話機１１を操作して音楽再生機能を働かせ、音楽再生を開始する（ステップＢ６）。
【００２９】
イヤホンジャック１２から出力された音楽信号は、イヤホンジャックケーブル１６を介してＦＭトランスミッタ１４内のＦＭ変調部２５に入力され、ＦＭ変調された後に可変アンプ２６にて増幅され、ＦＭアンテナ２７よりＦＭ波として出力される（ステップＢ７）。ＦＭラジオ内蔵カーステレオ５５を操作し、周波数をＦＭトランスミッタ１４の出力周波数に合わせ、車載スピーカより音楽を出力させる（ステップＢ８）。ＦＭラジオ側の受信レベルが不足している場合には、ＦＭ出力レベルコントローラ１５を調整し、ＦＭ波の強度を適切なレベルにセットする（ステップＢ９）。
【００３０】
次に、携帯電話機１１への充電を行わずに、音楽を聞く際の手順を説明する。図９に手順を示す。あらかじめ十分に充電されたバッテリ４２を携帯電話機１１に装着し（ステップＣ１）、携帯電話機１１を充電器ホルダ１３にセットする。このとき、充電器ホルダ１３には、ＤＣアダプタケーブル１７及びＡＣアダプタケーブル１８は接続されていない。切替えスイッチ２３は、充電器ホルダ１３の充電端子２９が無電圧であること、すなわち、充電端子２９と携帯電話機１１の充電端子４４とが接続（接触）しており、かつ、充電端子４４が無電圧であることを検出し、充電回路４１をスルーするパスに切り替える（ステップＣ２）。
【００３１】
切替えスイッチがパスを切り替えることにより、携帯電話機１１の充電端子４４には、バッテリ４２の電圧が供給される。バッテリ４２からの電圧は、充電器ホルダ１３の充電端子２９を介して、ＦＭトランスミッタ用電源部２４に供給される（ステップＣ３）。すなわち、ＦＭトランスミッタ１４は、携帯電話機１１のバッテリ４２により駆動される。その後、ステップＡ５〜Ａ９、又は、ステップＢ５〜Ｂ９と同様な手順により、携帯電話機１１で再生した音楽を、ＦＭラジオ内蔵カーステレオ５５又はＦＭラジオ内蔵ステレオコンポ５６のスピーカから出力させる（ステップＣ４〜Ｃ８）。
【００３２】
本実施形態では、充電器ホルダ１３にＦＭトランスミッタ１４を内蔵する。このようにすることで、ＦＭトランスミッタ１４を携帯電話機１１に内蔵する場合に比して、携帯電話機１１の小型化が可能となる。また、ＦＭトランスミッタ１４の電源を、充電用のＤＣアダプタケーブル１７又はＡＣアダプタケーブル１８からとることで、配線を簡略化して利便性を高めることができる。更に、携帯電話機１１が充電器ホルダ１３にセットされた状態で、充電器ホルダ１３に外部電源が接続されないときには、携帯電話機１１のバッテリ４２を、ＦＭトランスミッタ１４の電源として用いる。このようにすることで、外部電源が確保できない状況下でも、ＦＭトランスミッタ１４を動作させることができ、充電器ホルダ１３の電源配線が全くない環境においても、ＦＭラジオ受信機５０を用いた音楽再生が可能である。
【００３３】
なお、上記実施形態では、外部スピーカで音楽を再生するために、ＦＭラジオ（ＦＭトランスミッタ）を用いたが、これを、その他の無線通信手段に置き換えることも可能である。図１０に、本発明の変形例の音楽再生システムの構成を示す。この例では、充電器ホルダ１３ａは、ＦＭトランスミッタ１４（図１）に代えて、Bluetooth４７を有する。この構成では、Bluetooth搭載の外部音響機器を用い、外部音響機器のスピーカを外部スピーカとして用いることで、高音質な音楽を聞くことができる。また、外部スピーカから出力させるのは音楽には限らず、その他の音（音声）であってもよい。例えば、携帯電話通話における相手側の音声（下り音声）を、ＦＭトランスミッタ１４でＦＭ変調し、ＦＭラジオ受信機に相手側音声を出力させる構成とする。この場合、聴覚障害者の補助的な器具として利用できる。
【００３４】
以上、本発明をその好適な実施形態に基づいて説明したが、本発明の外部スピーカ利用システムは、上記実施形態にのみ限定されるものではなく、上記実施形態の構成から種々の修正及び変更を施したものも、本発明の範囲に含まれる。
【図面の簡単な説明】
【００３５】
【図１】本発明の一実施形態の外部スピーカ利用システム（音楽再生システム）の構成を示すブロック図。
【図２】充電器ホルダの背面側の外観を示す図。
【図３】ＦＭラジオ受信機の具体例を示す図。
【図４】ＦＭラジオ受信機の別の具体例を示す図。
【図５】充電器ホルダの内部構成を示すブロック図。
【図６】携帯電話機の内部構成を示すブロック図。
【図７】ＡＣアダプタを利用した場合の音楽再生システムの利用手順を示すフローチャート。
【図８】ＤＣアダプタを利用した場合の音楽再生システムの利用手順を示すフローチャート。
【図９】外部電源を用いない場合の音楽再生システムの利用手順を示すフローチャート。
【図１０】本発明の変形例の音楽再生システムの構成を示すブロック図。
【符号の説明】
【００３６】
１１：携帯電話機
１２：イヤホンジャック
１３：充電器ホルダ
１４：ＦＭトランスミッタ
１５：ＦＭ出力レベルコントローラ
１６：イヤホンジャックケーブル
１７：ＤＣアダプタケーブル
１８：ＡＣアダプタケーブル
１９：電源接続用Ｉ／Ｏ
２０：電源接続用コネクタ
２３：切替えスイッチ
２４：ＦＭトランスミッタ用電源部
２５：ＦＭ変調部
２６：可変アンプ
２７：ＦＭアンテナ
２８、２９：充電端子
３０：ベースバンド部
３１：ＣＰＵ
３２：メモリ
３３：キーマトリックス入力部
３４：ＬＣＤ表示部
３５：音楽データメモリ部
３６：音楽データデコーダ部
３７：アンプ
３８：レシーバ
３９：マイク
４０：スピーカ
４１：充電回路
４２：バッテリ
４３、４４：充電端子
５０：ＦＭラジオ受信機
５５：ＦＭラジオ内蔵カーステレオ
５６：ＦＭラジオ内蔵ステレオコンポ
【図１】
2008118455.tif 000003
【図２】
2008118455.tif 000004
【図３】
2008118455.tif 000005
【図４】
2008118455.tif 000006
【図５】
2008118455.tif 000007
【図６】
2008118455.tif 000008
【図７】
2008118455.tif 000009
【図８】
2008118455.tif 000010
【図９】
2008118455.tif 000011
【図１０】
2008118455.tif 000012